(57)【特許請求の範囲】
【請求項１】
紙葉類を収納すると共に、収納している紙葉類を繰り出すよう構成された、少なくとも第１の収納部、及び、第２の収納部を含む収納部と、
前記収納部に対する前記紙葉類の収納及び繰り出しを制御するよう構成された制御部と、を備え、
前記制御部は、紙葉類処理装置に紙葉類を収納する処理の時に、前記紙葉類を前記収納部に収納し、前記紙葉類処理装置に収納されている紙葉類を払い出す処理の時に、前記収納部から前記紙葉類を繰り出し、
前記制御部は、前記第１の収納部、及び、前記第２の収納部の内のいずれか一方の収納部の収納量が、所定の第１収納量に到達すると、当該収納部の収納量が、前記第１収納量よりも少ない、予め設定した第２収納量に到達するまで、前記紙葉類を収納する処理の時の当該収納部への前記紙葉類の収納を禁止しかつ、前記紙葉類を収納する処理の時の他方の収納部への前記紙葉類の収納、及び、前記紙葉類を払い出す処理の時の前記他方の収納部からの前記紙葉類の繰り出しのいずれも許可する紙葉類処理装置。
【請求項２】
前記制御部は、前記収納を禁止した収納部から前記紙葉類を繰り出すことによって、当該収納部の収納量が前記第２収納量に到達すると、前記収納部への紙葉類の収納を許可する請求項１に記載の紙葉類処理装置。
【請求項３】
前記制御部は、複数の収納部のいずれにも前記紙葉類の収納が許可されるときには、収納量の少ない収納部に、前記紙葉類を収納する請求項１又は２に記載の紙葉類処理装置。
【請求項４】
前記制御部は、複数の収納部のいずれからも前記紙葉類の繰り出しが許可されるときには、収納量の多い収納部から、前記紙葉類を繰り出す請求項１〜３のいずれか１項に記載の紙葉類処理装置。
【請求項５】
前記制御部は、前記第１の収納部、及び、前記第２の収納部の内のいずれか一方の収納部の収納量が前記第１収納量に到達すると、当該収納部を、前記紙葉類の繰り出しのみを行う繰出専用の収納部に設定すると共に、他方の収納部を、前記紙葉類の収納のみを行う収納専用の収納部に設定する請求項１に記載の紙葉類処理装置。
【請求項６】
前記制御部は、前記繰出専用の収納部が前記第２収納量に到達すると、当該収納部を収納専用の収納部に設定すると共に、他方の収納部を繰出専用の収納部に設定する請求項５に記載の紙葉類処理装置。
【請求項７】
前記収納部は、前記紙葉類を、テープと共にドラムに巻き付ける巻き取り式に構成されている請求項１〜６のいずれか１項に記載の紙葉類処理装置。
【請求項８】
前記収納部は、前記紙葉類を、紙面同士を接触させて並べるスタック式に構成されている請求項１〜６のいずれか１項に記載の紙葉類処理装置。
【請求項９】
紙葉類を収納すると共に、収納している紙葉類を繰り出すよう構成された、少なくとも一つの収納部と、
前記収納部に対する前記紙葉類の収納及び繰り出しを制御するよう構成された制御部と、を備え、
前記収納部は、少なくとも第１の収納部、及び、第２の収納部を含み、
前記制御部は、
前記第１の収納部、及び、前記第２の収納部の内のいずれか一方の収納部の収納量が所定の第１収納量に到達すると、当該収納部の収納量が、前記第１収納量よりも少ない、予め設定した第２収納量に到達するまで、当該収納部を、前記紙葉類の繰り出しのみを行う繰出専用の収納部に設定すると共に、他方の収納部を、前記紙葉類の収納のみを行う収納専用の収納部に設定し、
前記繰出専用の収納部から前記紙葉類を繰り出すことによって、当該収納部の収納量が前記第２収納量に到達すると、当該収納部への紙葉類の収納を許可する紙葉類処理装置。
【請求項１０】
前記制御部は、前記繰出専用の収納部が前記第２収納量に到達すると、当該収納部を収納専用の収納部に設定すると共に、他方の収納部を繰出専用の収納部に設定する請求項９に記載の紙葉類処理装置。
【請求項１１】
それぞれ紙葉類を収納すると共に、収納している紙葉類を繰り出すよう構成された、少なくとも第１の収納部、及び、第２の収納部を用い、
紙葉類処理装置に紙葉類を収納する処理の時に、前記紙葉類処理装置が、収納部へ前記紙葉類を収納する工程と、
前記紙葉類処理装置に収納されている前記紙葉類を払い出す処理の時に、前記紙葉類処理装置が、前記収納部から前記紙葉類を繰り出す工程と、
前記第１の収納部、及び、前記第２の内のいずれか一方の収納部の収納量が、所定の第１収納量に到達すると、制御部が、当該収納部の収納量が、前記第１収納量よりも少ない、予め設定した第２収納量に到達するまで、前記紙葉類を収納する処理の時の当該収納部への前記紙葉類の収納を禁止しかつ、前記紙葉類を収納する処理の時の他方の収納部への前記紙葉類の収納、及び、前記紙葉類を払い出す処理の時の前記他方の収納部からの前記紙葉類の繰り出しのいずれも許可する工程と、を備える紙葉類処理方法。
【請求項１２】
それぞれ紙葉類を収納すると共に、収納している紙葉類を繰り出すよう構成された、少なくとも第１の収納部、及び、第２の収納部を用い、
前記第１の収納部、及び、前記第２の収納部の内のいずれか一方の収納部の収納量が、所定の第１収納量に到達すると、制御部が、前記第１収納量よりも少ない、予め設定した第２収納量に到達するまで、当該収納部を、前記紙葉類の繰り出しのみを行う繰出専用の収納部に設定すると共に、他方の収納部を、前記紙葉類の収納のみを行う収納専用の収納部に設定する工程と、
前記繰出専用の収納部から前記紙葉類を繰り出すことによって、当該収納部の収納量が前記第２収納量に到達すると、前記制御部が、前記収納部への紙葉類の収納を許可する工程と、を備える紙葉類処理方法。
【発明の詳細な説明】
【技術分野】
【０００１】
ここに開示する技術は、紙葉類処理装置及び紙葉類処理方法に関する。
【背景技術】
【０００２】
特許文献１には、巻き取り式の収納部を複数備えた、紙幣入出金機が記載されている。巻き取り式の収納部は、紙幣を、テープリールから引き出したテープと共にドラムに巻き付けて収納する。
【０００３】
また、特許文献２には、スタック式の収納部を複数備えた、紙幣入出金機が記載されている。このスタック式の収納部は、紙幣をステージの上に積み重ねて収納する。
【０００４】
特許文献１及び特許文献２に記載されている収納部は共に、収納している紙幣を、繰り出し可能に構成されている。
【先行技術文献】
【特許文献】
【０００５】
【特許文献１】特許第５６５０３１７号公報
【特許文献２】特開２０１４−１０９７９７号公報
【発明の概要】
【発明が解決しようとする課題】
【０００６】
ところで、本願発明者は、巻き取り式の収納部であるか、スタック式の収納部であるかに関わらず、収納部が満量に近い状態で、収納部に対する紙幣の収納と繰り出しとを繰り返すと、様々な不具合が生じることを見出した。
【０００７】
ここで、収納部が満量に近い状態で紙幣の収納と繰り出しとを繰り返すことは、次の理由により起こり得る。紙幣入出金機において、同一種類の紙幣を収納する収納部が複数、存在しているときには、複数の収納部について、優先使用順位が設定される。つまり、紙幣を収納するときには、優先使用順位が最も高い収納部に紙幣を収納し、当該収納部が満量に到達すれば、換言すると、優先使用順位が最も高い収納部に紙幣を収納することができないときには、次に優先使用順位が高い収納部に紙幣を収納する。この構成では、優先使用順位が最も高い収納部は、紙幣を優先的に収納するため、満量になりやすい。ここで、優先使用順位が最も高い収納部が満量状態でかつ、他の収納部には繰り出し可能な紙幣が収納されていない状態を考える。満量状態の収納部から紙幣を繰り出すことによって、優先使用順位が最も高い収納部に紙幣を収納することが可能になれば、次に収納する紙幣は、優先使用順位が最も高い収納部に収納することになる。当該収納部は再び満量になる。この状態では紙幣を収納することができないが、紙幣を繰り出すことによって紙幣の収納が可能になれば、次に収納する紙幣は、優先使用順位が最も高い収納部に収納することになる。このようにして、優先使用順位を設定すると、優先使用順位が高い収納部は、満量に近い状態で、収納部に対する紙幣の収納と繰り出しとを繰り返すことになる。
【０００８】
巻き取り式の収納部は、紙幣を、テープリールから引き出したテープと共にドラムに巻き付けるため、巻き取り式の収納部が満量に近い状態では、テープ及び紙幣が巻き付けられたドラムの外径が大きくなっている。尚、ここでいう、「ドラムの外径」は、ドラム本体に巻き付けられたテープ及び紙幣によって構成される部分を含む外径を意味する。以下の説明において、「ドラム」には、ドラム本体と、ドラム本体に巻き付けられたテープ及び紙幣とを含む場合がある。
【０００９】
ドラムの外径が大きくなっている状態で、紙幣の収納を行うべく、ドラムを巻き取り方向に回転させると、ドラム本体に近い（つまり、径方向の内側の）テープは、ドラム本体の回転に追従して巻き取り方向に巻かれる。一方、ドラム本体から離れた（つまり、径方向の外側の）テープは、慣性の影響によってドラム本体の回転に追従しにくくなる。これにより、内側のテープと、外側のテープとの間で滑りが生じる。
【００１０】
また、ドラムを巻き取り方向に回転させるときには、テープには張力が付与されているから、ドラムの最外径部のテープは、ある程度の力で安定的に締め付けられている。その結果、外径が大きくなったドラムを巻き取り方向に回転させると、径方向の内側のテープは締め付けが強くなるのに対し、内側のテープと最外径部のテープとの間の径方向の中間部のテープは、内側のテープが巻き取り方向に巻かれることに伴い、締め付けが弱くなる。
【００１１】
また、紙幣の繰り出しを行うときには、ドラムは巻き取り方向とは逆方向の、送り出し方向に回転するが、紙幣の繰り出しを完了した後に、ドラムの位置調整を行うためにドラムを巻き取り方向に回転させるようになる。紙幣の繰り出しを行うときにも、ドラムは巻き取り方向に回転する際には、径方向の内側のテープは締め付けが強くなる。
【００１２】
このため、巻き取り式の収納部が満量に近い状態で紙幣の収納と繰り出しとを繰り返すと、径方向の内側のテープは締め付けが、徐々に強まり、それに伴い、径方向の中間部のテープは、締め付けが徐々に弱まってしまう。その結果、テープの締め付けが弱くなった箇所で、ドラムに巻き付けられている紙幣がずれてしまうという不具合が生じる場合がある。
【００１３】
この不具合は、特に厚みが一定でない紙幣を収納する場合に顕著になる。厚みが一定でない紙幣は、例えば紙素材とポリマー素材とを組み合わせた紙幣（いわゆる複合材料紙幣）である。複合材料紙幣には、ポリマー素材の部分が、紙幣の一面において凸に、他面において凹となった凹凸を有する紙幣も存在する。厚みが一定でない紙幣は、ドラムに巻き付けたときにドラムの表面に沿って曲がり難くなって、テープとの間に隙間が形成される場合がある。ドラムに巻き付けた紙幣と径方向の内側のテープとの間に隙間があると、ドラムを巻き取り方向に回転させたときに、径方向の内側では、テープと紙幣との隙間が無くなるようにテープが巻き取られ、テープの締め付けが、より一層強くなる。径方向の中間部のテープは、径方向の内側のテープの締め付けが強くなる分、締め付けがさらに弱くなってしまう。結果として、複合材料紙幣を収納する場合は、ドラムに巻き付けられている紙幣がずれてしまうという不具合が生じ易くなる。尚、複合材料紙幣に限らず、紙面の一部に点字が設けられた紙幣や、偽造防止用のスレッドやホログラムが設けられた紙幣も厚みが一定でなく、複合材料紙幣と同様に、ドラムに巻き付けられている紙幣がずれ易くなる。
【００１４】
一方、スタック式の収納部において、収納量が満量に近い状態では、ステージ上で大量の紙幣が積み重なっているため、積み重なった紙幣が安定しない。そのため、新たな紙幣を積み重ねようとしたときに、収納の品質が低下する。また、スタック式の収納部において紙幣の繰り出しを行うときには、積み重なった紙幣を重なり方向に圧縮しながら最上位の紙幣を繰り出す。スタック式の収納部が満量に近いと、積み重なった紙幣を下方に圧縮したときに、最上位の紙幣の状態が安定せず、その結果、紙幣の繰り出し品質が低下する（例えば斜行になる）。
【００１５】
尚、スタック式の収納部は、紙幣を上下方向に積み重ねて収納する構成に限らず、紙幣を水平方向に並べて収納する構成においても同様に、満量に近い状態で紙幣の収納及び繰り出しを繰り返すと、収納品質及び繰り出し品質の低下を招く。
【００１６】
さらに、厚みが一定でない紙幣は、スタック式の収納部に収納したときに、積み重なった紙幣が傾くことにもなるため、積み重なった紙幣がさらに不安定になる。そのため、紙幣の収納品質及び繰り出し品質が、さらに低下する。
【００１７】
このように、巻き取り式及びスタック式に限らず、収納部が満量に近い状態では、紙幣の収納と繰り出しとを繰り返すことは回避したい。
【００１８】
尚、前述した不具合は、紙幣の収納及び繰り出しに限らない。収納部に収納する対象が、商品券や小切手等の有価証券を含む紙葉類全般において、同様の不具合は起こり得る。
【００１９】
ここに開示する技術は、かかる点に鑑みてなされたものであり、その目的とするところは、紙葉類処理装置において、収納部が満量に近い状態で紙葉類の収納及び繰り出しを繰り返すことを防止することにある。
【課題を解決するための手段】
【００２０】
ここに開示する技術は、紙葉類処理装置に係り、この紙葉類処理装置は、紙葉類を収納すると共に、収納している紙葉類を繰り出すよう構成された、少なくとも第１の収納部、及び、第２の収納部を含む収納部と、前記収納部に対する前記紙葉類の収納及び繰り出しを制御するよう構成された制御部と、を備える。
【００２１】
そして、前記制御部は、紙葉類処理装置に紙葉類を収納する処理の時に、前記紙葉類を前記収納部に収納し、前記紙葉類処理装置に収納されている紙葉類を払い出す処理の時に、前記収納部から前記紙葉類を繰り出し、
前記制御部は、前記第１の収納部、及び、前記第２の収納部の内のいずれか一方の収納部の収納量が、所定の第１収納量に到達すると、当該収納部の収納量が、前記第１収納量よりも少ない、予め設定した第２収納量に到達するまで、前記紙葉類を収納する処理の時の当該収納部への前記紙葉類の収納を禁止しかつ、前記紙葉類を収納する処理の時の他方の収納部への前記紙葉類の収納、及び、前記紙葉類を払い出す処理の時の前記他方の収納部からの前記紙葉類の繰り出しのいずれも許可する。
【００２４】
この構成によると、収納部の収納量が第１収納量に到達すると、当該収納部への紙葉類の収納を禁止する。収納の禁止は、収納部の収納量が第２収納量に到達するまで継続する。つまり、収納部の収納量が第２収納量に到達するまで、当該収納部は紙葉類の繰り出しのみを行い、紙葉類の収納は行わない。
【００２５】
ここで、第１収納量は、例えば、収納部の最大容量（いわゆるフル容量として設定される容量）、又は、最大容量付近の容量（いわゆるニアフル容量として設定される容量）としてもよい。第１収納量を大に設定することによって、収納部に収納可能な紙葉類の枚数が増える。
【００２６】
第２収納量は、第１収納量よりも少ない量で適宜設定することが可能である。収納部が満量に近い状態で紙葉類の収納及び繰り出しを繰り返すことを防止しようとすれば、第２収納量は比較的小に設定することが好ましい。第２収納量は、ゼロ（いわゆるエンプティ）、又は、ゼロ付近の量（いわゆるニアエンプティとして設定される容量）としてもよい。第２収納量をゼロ、又は、ゼロ付近の量とすれば、収納部は、収納している紙葉類が無くなる、又は、ほとんど無くなるまで繰り出しのみを行い、紙幣の収納は行わない。そのため、収納部が満量に近い状態で紙葉類の収納及び繰り出しを繰り返すことが、確実に、防止される。
【００２７】
こうして前記の構成では、収納部の収納量が満量に近い状態で紙葉類の収納及び繰り出しを繰り返すことに起因する不具合を、回避することが可能になる。
【００２８】
前記制御部は、前記収納を禁止した収納部から前記紙葉類を繰り出すことによって、当該収納部の収納量が前記第２収納量に到達すると、前記収納部への紙葉類の収納を許可する、としてもよい。
【００２９】
前記制御部は、前記複数の収納部のいずれにも前記紙葉類の収納が許可されるときには、収納量の少ない収納部に、前記紙葉類を収納する、としてもよい。
【００３０】
こうすることで、複数の収納部に対して、できるだけ均等に紙葉類を収納することになるから、収納部が満量になる、又は満量に近い状態になることが、抑制される。
【００３１】
前記制御部は、複数の収納部のいずれからも前記紙葉類の繰り出しが許可されるときには、収納量の多い収納部から、前記紙葉類を繰り出す、としてもよい。
【００３３】
前記制御部は、前記第１の収納部、及び、前記第２の収納部の内のいずれか一方の収納部の収納量が前記第１収納量に到達すると、当該収納部を、前記紙葉類の繰り出しのみを行う繰出専用の収納部に設定すると共に、他方の収納部を、前記紙葉類の収納のみを行う収納専用の収納部に設定する、としてもよい。
【００３４】
いずれかの収納部の収納量が第１収納量に至ると、当該収納部を繰出専用にすることで、収納部が第１収納量に近い状態で（言い換えると、収納部が満量に近い状態で）、紙葉類の収納及び繰り出しを繰り返すことが防止される。当該収納部を繰出専用に設定しても、他方の収納部を収納専用の収納部に設定することで、紙葉類の収納を行うことが可能である。従って、この構成の紙葉類処理装置は、複数の収納部を使って、紙葉類の収納と繰り出しとの両方を、常時、行うことが可能になる。また、この構成では、優先使用順位を設定する従来構成とは異なり、複数の収納部を、均等に使用することが可能になる。
【００３５】
前記制御部は、前記繰出専用の収納部が前記第２収納量に到達すると、当該収納部を収納専用の収納部に設定すると共に、他方の収納部を繰出専用の収納部に設定する、としてもよい。
【００３６】
繰出専用の収納部が第２収納量に到達すると、当該収納部の収納量は十分に減っているため、紙葉類を収納することが可能になる。そこで、当該収納部を、繰出専用の収納部から収納専用の収納部に切り替える。一方、他方の収納部を繰出専用の収納部に設定することによって、紙葉類の繰り出しが可能になる。この構成の紙葉類処理装置は、紙葉類の収納と繰り出しとの両方を、常時、行うことが可能になる。
【００３７】
前記収納部は、前記紙葉類を、テープと共にドラムに巻き付ける巻き取り式に構成されている、としてもよい。
【００３８】
前述したように、巻き取り式の収納部は、満量に近い状態で紙葉類の収納と繰り出しとを繰り返すと、ドラムに巻き付けた紙葉類のずれが発生する恐れがあるが、前述の通り、収納部が満量に近い状態で紙葉類の収納と繰り出しとを繰り返すことを回避することにより、収納部内で紙葉類のずれが発生することが防止される。
【００３９】
前記収納部は、前記紙葉類を、紙面同士を接触させて並べるスタック式に構成されている、としてもよい。
【００４０】
前述したように、スタック式の収納部は、満量に近い状態で紙葉類の収納と繰り出しとを繰り返すと、収納品質及び／又は繰り出し品質が低下する恐れがあるが、前述の通り、収納部が満量に近い状態で紙葉類の収納と繰り出しとを繰り返すことを回避することで、収納品質及び／又は繰り出し品質が低下することが防止される。
【００４１】
ここに開示する紙葉類処理方法は、
それぞれ紙葉類を収納すると共に、収納している紙葉類を繰り出すよう構成された、少なくとも第１の収納部、及び、第２の収納部を用い、
紙葉類処理装置に紙葉類を収納する処理の時に、前記紙葉類処理装置が、収納部へ前記紙葉類を収納する工程と、
前記紙葉類処理装置に収納されている前記紙葉類を払い出す処理の時に、前記紙葉類処理装置が、前記収納部から前記紙葉類を繰り出す工程と、
前記第１の収納部、及び、前記第２の内のいずれか一方の収納部の収納量が、所定の第１収納量に到達すると、制御部が、当該収納部の収納量が、前記第１収納量よりも少ない、予め設定した第２収納量に到達するまで、前記紙葉類を収納する処理の時の当該収納部への前記紙葉類の収納を禁止しかつ、前記紙葉類を収納する処理の時の他方の収納部への前記紙葉類の収納、及び、前記紙葉類を払い出す処理の時の前記他方の収納部からの前記紙葉類の繰り出しのいずれも許可する工程と、を備える。
【００４２】
収納部への紙葉類の収納が、禁止されるから、収納部が満量に近い状態で紙葉類の収納及び繰り出しを繰り返すことが防止される。
【００４３】
ここに開示する紙葉類処理方法はまた、それぞれ紙葉類を収納すると共に、収納している紙葉類を繰り出すよう構成された、少なくとも第１の収納部、及び、第２の収納部を用い、
前記第１の収納部、及び、前記第２の収納部の内のいずれか一方の収納部の収納量が、所定の第１収納量に到達すると、制御部が、前記第１収納量よりも少ない、予め設定した第２収納量に到達するまで、当該収納部を、前記紙葉類の繰り出しのみを行う繰出専用の収納部に設定すると共に、他方の収納部を、前記紙葉類の収納のみを行う収納専用の収納部に設定する工程と、
前記繰出専用の収納部から前記紙葉類を繰り出すことによって、当該収納部の収納量が前記第２収納量に到達すると、前記制御部が、前記収納部への紙葉類の収納を許可する工程と、を備える。
【００４４】
これにより、収納部が満量に近い状態で紙葉類の収納及び繰り出しを繰り返すことが防止される。
【００４５】
前記紙葉類処理方法は、前記収納部の収納量が、所定の第３収納量に到達すると、前記第３収納量よりも多い、予め設定した第４収納量に到達するまで、前記収納部からの前記紙葉類の繰り出しを禁止しかつ、前記収納部への前記紙葉類の収納を許可する工程と、前記収納部へ前記紙葉類を収納することによって、当該収納部の収納量が前記第４収納量に到達すると、前記収納部からの前記紙葉類の繰り出しを許可する工程と、を備える、としてもよい。
【００４６】
これにより、収納部が満量に近い状態で紙葉類の収納及び繰り出しを繰り返すことが防止される。
【００４７】
前記収納部へ前記紙葉類を収納する工程は、前記紙葉類をテープと共にドラムに巻き付け、前記収納部から前記紙葉類を繰り出す工程は、前記ドラムから前記テープと共に前記紙葉類を送り出す、としてもよい。つまり、収納部は、巻き取り式の収納部であってもよい。
【発明の効果】
【００４８】
以上説明したように、前記の紙葉類処理装置及び紙葉類処理方法によると、収納部が満量に近い状態で紙葉類の収納及び繰り出しを繰り返すことが防止される。
【図面の簡単な説明】
【００４９】
【図１】図１は、紙幣入出金機の外観を示す図である。
【図２】図２は、巻き取り式の収納部を備えた紙幣入出金機の内部構造を示す図である。
【図３】図３は、巻き取り式の収納モジュールの構成を示す図である。
【図４】図４は、紙幣入出金機の動作制御に係る構成を示すブロック図である。
【図５】図５は、凹凸を有する紙幣の表裏及び向きと、ドラムへの巻き付けやすさとの関係を説明する図である。
【図６】図６は、ドラムに巻き付けられたテープ及び紙幣が円錐台状になった状態を例示する図である。
【図７】図７は、ドラムに巻き付けられたテープの締め付け状態を説明する図である。
【図８】図８は、従来構成において、複数の収納部に紙幣の収納及び繰り出しを行うときの各収納部の状態を例示する遷移図である。
【図９】図９は、本構成において、複数の収納部に紙幣の収納及び繰り出しを行うときの各収納部の状態を例示する遷移図である。
【図１０】図１０は、従来構成における、収納部の収納量の変化の例と、本構成における２つの収納部それぞれの収納量の変化の例とを示す図である。
【図１１】図１１は、第１モードと第２モードとを切り替えるためにテープに設けられた遮光シールを例示する図である。
【図１２】図１２は、ドラムに対して円錐台状に巻き付けられた紙幣の状態を比較する図である。
【図１３】図１３は、ドラムに巻き付けられる紙幣の凹凸とテープとの相対位置を説明する図である。
【図１４】図１４は、各種の要因の組み合わせと、複合材料紙幣の収納部への収納可否を表形式で示す図である。
【図１５】図１５は、スタック式の収納部を備えた紙幣入出金機の内部構造を示す図である。
【発明を実施するための形態】
【００５０】
以下、ここに開示する紙葉類処理装置について、図面を参照しながら詳細に説明をする。尚、以下の説明は例示である。図1は、紙葉類処理装置としての紙幣入出金機１の外観を示している。紙幣入出金機１は、例えば銀行のテラーカウンターに設置される。
【００５１】
紙幣入出金機１は、入金口２１１に投入された紙幣を収納部３に収納する入金処理、及び、収納部３に収納している紙幣を出金口２３１に払い出す出金処理を少なくとも実行する。後述するように、収納部３は、収納している紙幣を繰り出し可能に構成されている。この紙幣入出金機１は、いわゆる循環式の紙幣入出金機１である。すなわち、出金処理時に払い出す紙幣には、入金処理時に収納部３に収納した紙幣が含まれる。
【００５２】
紙幣入出金機１は、図１及び２に示すように、上側の処理部１１と、下側の金庫部１３とに大別される。処理部１１を構成する筐体１１１内には、入金口２１１を有する入金部２１と、出金口２３１を有する出金部２３と、紙幣の識別を行う識別部２５と、入金部２１、出金部２３及び識別部２５を相互に連結するループ搬送路４１１を含む処理部側搬送部４１と、が配設されている。一方、金庫部１３を構成する筐体１３１内には、複数の（図例では８個の）巻き取り式の収納モジュール３１を含んで構成された収納部３と、処理部側搬送部４１のループ搬送路４１１と各収納モジュール３１とを互いに接続する搬送路４３１を含む金庫部側搬送部４３と、が配設されている。ここで、金庫部１３を構成する筐体１３１は、処理部１１を構成する筐体１１１とは異なり、その内部に格納している収納部３等を、所定以上のセキュリティレベルで防護するように構成された防護筐体１３１である。
【００５３】
入金部２１の入金口２１１は、複数枚の紙幣を一度に受け入れ可能に構成されている。入金部２１は、詳細な図示は省略するが、入金口２１１に投入された複数枚の紙幣を、一枚ずつ、ループ搬送路４１１に繰り出す繰り出し機構を備えている。また、出金部２３の出金口２３１は、複数枚の紙幣を一度に保持可能に構成されている。
【００５４】
処理部側搬送部４１は、ループ搬送路４１１に沿って、図２における時計回り方向及び反時計回り方向に紙幣を搬送する。ループ搬送路４１１は、図示は省略するが、多数のローラ、複数のベルト及び複数のガイドの組み合わせによって構成されている。紙幣は、所定間隔を隔てた状態で、ループ搬送路４１１に沿って短手搬送される。
【００５５】
識別部２５は、ループ搬送路４１１に配設されている。識別部２５は、ループ搬送路４１１に沿って搬送される紙幣の一枚一枚について、少なくとも、その真偽、金種及び正損のいずれかを識別するように構成されている。
【００５６】
金庫部側搬送部３２の搬送路４３１は、分岐機構４１９を介してループ搬送路４１１に接続される。分岐機構４１９は、互いに異なる３方向に延びる搬送路の集合位置において、所定方向から搬送されてくる紙幣を、それとは別の２方向それぞれに選択的に搬送させるように動作する。分岐機構４１９は、ループ搬送路４１１上を時計回り方向又は反時計回りに搬送されている紙幣を、選択的に、金庫部側搬送部４３の搬送路４３１に送って、収納部３に収納させるか、又は、収納部３から繰り出されかつ、金庫部側搬送部４３の搬送路４３１に沿って搬送されてきた紙幣を、ループ搬送路４１１上で時計回り方向に搬送させるか、若しくは、反時計回り方向に搬送させるかの切り替えを行う。
【００５７】
収納部３は、前述したように、図例では第１〜第８の巻き取り式（言い換えると、テープ式）の収納モジュール３１−１−３１−８を含んで構成されている。以下の説明において、各々の収納モジュールを総称する場合には、符号「３１」を付し、第１、第２、第３…の、各々の収納モジュールを区別する場合には、符号「３１−１、３１−２、３１−３…」を付す。尚、収納モジュール３１の数は特に限定されず、１個以上で、適宜の数を設定すればよい。８個の収納モジュール３１は、この例では、装置の奥行き方向（図２の紙面左右方向）に４個並んで１列を構成すると共に、その列が上下方向に２列を構成するように積み重ねられている。
【００５８】
巻き取り式の収納モジュール３１は、その基本的な構成は周知であるため、詳細な図示は省略するが、ここに示す例では、図３に示すように、概ね矩形箱状の筐体内に、紙幣をガイドするテープ３１０が巻き付けられたテープリール３１１と、テープ３１０と共に、紙幣を巻き取るドラム３１２と、を備えている。
【００５９】
テープは、図６及び図１１等に示すように、紙幣の長手方向に間隔を空けて２本、平行に配置されている。テープリール３１１から引き出されたテープ３１０はテープ規制ガイド３１３によって案内された後、ドラム３１２に至る。
【００６０】
ドラム３１２は、図示を省略する回転駆動源に接続されている。回転駆動源が駆動することによって、ドラム３１２は、紙幣の巻き取り方向（つまり、図３における時計回り方向）及び紙幣の送り出し方向（つまり、図３における反時計回り方向）に回転する。テープリール３１１には、トルクリミッタ３１４が取り付けられている。紙幣の巻き取りを行うべく、ドラム３１２が巻き取り方向に回転したときには、トルクリミッタ３１４によりテープ３１０に所定の張力Ｆが付与された状態で、テープリール３１１は、ドラム３１２に従動して、テープ３１０の送り出し方向に回転する。一方、ドラム３１２が紙幣の送り出し方向に回転するときには、図示を省略する動力伝達機構により、ドラム３１２の回転駆動源の駆動力がテープリール３１１に伝達され、テープリール３１１が、テープ３１０の巻き取り方向に駆動回転する。
【００６１】
紙幣は、収納モジュール３１の内外をつなぐ出入口３１５を通じて、収納モジュール３１内に入ると共に、収納モジュール３１内から出る。巻き取り式の収納モジュール３１は、テープリール３１１から引き出した２本のテープ３１０を、収納モジュール３１内に進入した紙幣と共にドラム３１２に巻き付けることによって、紙幣を収納する。紙幣は、その長手方向がドラム３１２の回転中心軸に沿うような向きで、互いに所定間隔を隔てながらドラム３１２に巻き付けられる（図６も参照）。
【００６２】
尚、巻き取り式の収納モジュールの構成は、前記の構成に限定されるものではない。ドラムに巻き付けるテープは、１本であってもよいし、２本以上でもよい。また、重なり合う２本のテープの間に紙幣を挟んだ状態で、テープをドラムに巻き付けるよう構成してもよい。
【００６３】
金庫部側搬送部４３の搬送路４３１は、処理部側搬送部４１のループ搬送路４１１と同様に、ローラ、ベルト及びガイドの組み合わせによって構成されている。搬送路４３１も、紙幣を一枚ずつ短手搬送する。搬送路４３１は、ループ搬送路４１１上の分岐機構４１９から、鉛直下向きに延びた後、奥行き方向の奥側（図２の紙面左側）に向かって折れ曲がって、上下に配置された２列の収納モジュール３１の間を、紙幣入出金機１の奥側に向かって延びている。各収納モジュール３１は、振分機構４３２を介して搬送路４３１に接続されている。各振分機構４３２は、搬送路４３１に沿って搬送される紙幣の搬送方向を、搬送路４３１に沿う方向と、収納モジュール３１に向かう方向とに切り替える。各振分機構４３２は、後述する制御部５１３によって駆動制御される。このことにより、紙幣は、識別部２５によって識別された金種及び／又は正損等に応じて複数の収納モジュール３１に振り分けられて収納される。
【００６４】
図４は、紙幣入出金機１の動作制御に係る構成を示している。紙幣入出金機１は、例えば周知のマイクロコンピュータをベースとした制御部５１３を備えている。制御部５１３には、前述した入金部２１、出金部２３、第１〜第８の収納モジュール３１を含む収納部３、処理部側搬送部４１、及び金庫部側搬送部４３が、信号の送受信可能に接続されている。これらの各部２１，２３，３，４１，４３は、図示は省略するが、例えば搬送路を搬送されている紙幣を検知するといった機能を有する各種のセンサを含んでおり、各種センサの検知信号は制御部５１３に入力される。制御部５１３は、入力された検知信号等に基づいて制御信号を出力し、各部２１，２３，３，４１，４３は、その制御信号に従って動作をする。
【００６５】
制御部５１３にはまた、識別部２５が接続されており、識別部２５は、識別結果を制御部５１３に提供する。詳細な図示を省略するが、紙幣入出金機１を使用するオペレータに対するヒューマンインターフェース部分としての操作部５５、紙幣入出金機１が、例えばＬＡＮやシリアルバスを通じて、図示を省略する上位端末及びその他の機器との間で信号の送受信を行うための通信部５７、及び、各種の情報を記憶するための、例えばハードディスクドライブやフラッシュメモリ等の汎用のストレージデバイスにより構成される記憶部５９がそれぞれ、紙幣入出金機１に接続されている。
【００６６】
記憶部５９は、紙幣入出金機１が収納している紙幣の金種別枚数又は金額である在高を少なくとも記憶する。また、記憶部５９は、収納モジュール３１毎の在高も記憶する。
【００６７】
制御部５１３は、通信部５７を通じて受けた上位端末からの指令、及び／又は、操作部５５を通じて受けた各種の指令に応じて、各部２１，２３，２５，３，４１，４３，５５，５７，５９の動作を制御する。このことにより、紙幣入出金機１は、以下に説明する入金処理及び出金処理を含む、各種処理を行う。
【００６８】
〈入金処理〉
入金処理は、紙幣入出金機１に紙幣を入金（収納）する処理であり、入金口２１１に投入された紙幣は、識別部２５による識別結果と、予め設定された収納割当とに従って、基本的には、いずれかの収納モジュール３１に収納される。より詳細に、紙幣入出金機１は、入金処理の際には、次のように動作する。
【００６９】
すなわち、入金する紙幣を入金口２１１に投入した状態で、例えば上位端末及び／又は操作部５５の操作によって入金処理の開始コマンドを、紙幣入出金機１に入力する。入金部２１の繰り出し機構は、入金口２１１の紙幣を一枚ずつ繰り出し、処理部側搬送部４１は、各紙幣を識別部２５に搬送する。識別部２５は、その紙幣の識別を行うと共に、計数を行う。処理部側搬送部４１はまた、識別部２５によって正常に識別された紙幣（この紙幣を、リジェクト紙幣の対の名称として正常紙幣と呼ぶ）を、ループ搬送路４１１から、分岐機構４１９を通って金庫部側搬送部４３の搬送路４３１へと搬送する。金庫部側搬送部４３は、識別部２５による識別結果、及び、予め設定された収納割当に従って振分機構４３２を制御することにより、各正常紙幣を所定の収納モジュール３１に収納する。各正常紙幣は、金種別や正損別に応じて、いずれかの収納モジュール３１に収納される。
【００７０】
一方、処理部側搬送部４１は、識別部２５において真偽の識別ができない紙幣等、紙幣入出金機１がそのまま受け入れることができないリジェクト紙幣を、出金口２３１に払い出す。また、入金処理時に、収納モジュール３１が満杯になることに起因して収納できなくなった紙幣（つまり、オーバーフロー紙幣）も、出金口２３１に払い出す。入金処理の終了後には、記憶部５９に記憶している在高を更新する。
【００７１】
〈出金処理〉
出金処理は、紙幣入出金機１に収納されている紙幣を払い出す処理である。具体的には、上位端末及び／又は操作部５５において、少なくとも金種と枚数とを指定する所定の出金操作を行うことによって、出金処理は開始する。収納部３は、指定された金種の紙幣を、収納モジュール３１から、指定された枚数だけ繰り出す。金庫部側搬送部４３は、繰り出された紙幣を、搬送路４３１を介して、処理部側搬送部４１のループ搬送路４１１へと搬送する。処理部側搬送部４１は、各紙幣を識別部２５に搬送し、識別部２５が識別を行った後、出金口２３１に各紙幣が払い出される。出金処理の終了後には、記憶部５９に記憶している在高を更新する。
【００７２】
（紙幣入出金機の取り扱い対象の紙幣の説明）
次に、紙幣入出金機１の取り扱い対象の紙幣について説明をする。近年、紙素材とポリマー素材とを組み合わせた、いわゆる複合材料紙幣が発行されている。複合材料紙幣は、紙幣の一部、例えば図５に示す２０ユーロ紙幣の例では、紙幣の長手方向における中央よりも一方の側の位置に、ポリマー素材によって形成された凹凸を有している。凹凸は、紙幣の一方の面（図５では表面）では凹となり、他方の面（図５では裏面）では凸となる。この複合材料紙幣は、凹凸によって、長手方向に非対称な形状になる。
【００７３】
入金口２１１に投入される紙幣の、表裏及び向きは不揃いである。そのため、ループ搬送路４１１及び搬送路４３１に沿って搬送される紙幣の方向は、図５に示すように、Ａ方向〜Ｄ方向の４つの方向に分けられる。つまり、Ａ方向は、紙幣が表で、向きが搬送方向（図５に矢印で示すように、紙面下から上に向かう方向）に従う方向である。Ｂ方向は、紙幣が表で、向きが搬送方向に逆らう方向である。Ｃ方向は、紙幣が裏で、向きが搬送方向に逆らう方向である。Ｄ方向は、紙幣が裏で、向きが搬送方向に従う方向である。
【００７４】
紙幣入出金機１は、前述したように、紙幣を短手搬送するよう構成されている。また、収納モジュール３１は、図６に示すように、紙幣ＢＮの長手方向がドラム３１２の中心軸に沿う方向で、紙幣ＢＮをドラム３１２に巻き付ける。そのため、前述した４つの方向の内、紙幣がＡ方向及びＢ方向のときには、凹凸の凸が、ドラム３１２の径方向内方を向き、紙幣の曲げにおける縮み側となるから、紙幣がドラム３１２の表面に沿って曲がり難くなる。この場合は、テープ３１０によって締め付けても、特に凹凸の部分においては、テープ３１０と紙幣ＢＮとの間に隙間が生じる場合がある。
【００７５】
一方、紙幣がＣ方向及びＤ方向のときには、凹凸の凸が、ドラム３１２の径方向外方を向き、紙幣の曲げにおける伸び側となるから、紙幣はドラム３１２の表面に沿って比較的曲がりやすい。
【００７６】
また、凹凸を有する紙幣は、厚みが一定でない。従って、凹凸を有する紙幣が、ドラム３１２の径方向に重なると、紙幣が傾く場合がある。
【００７７】
前述した紙幣の方向に起因する曲がりにくさと、凹凸による厚みの不均一性とが組み合わさると、例えば図６に誇張して描くように、ドラム３１２に巻き付けたテープ３１０及び紙幣ＢＮが、円柱状ではなく、ドラム３１２の中心軸方向の一方側の径が大きく、他方側の径が相対的に小さくなるような、円錐台状になることも起こり得る。
【００７８】
尚、紙幣入出金機１の取り扱い対象の紙幣は、複合材料紙幣に限らず、従来からの紙素材の紙幣、つまり、厚みが一定であり、紙幣の方向に関わらず、ドラム３１２の表面に沿って曲がりやすい紙幣も含まれる。
【００７９】
また、例えば紙幣の一部分に、点字部分が設けられた紙幣や、紙幣の一部に、偽造防止用のスレッドやホログラムが設けられた紙幣もまた、紙幣入出金機１の取り扱い対象の紙幣とすることが可能である。点字や、スレッド、又はホログラムが設けられた紙幣は、必ずしも厚みが一定でなく、また、紙幣の方向によってドラム３１２の表面に沿った曲がりやすさが変化する場合がある。従って、図６に示すように、ドラム３１２に巻き付けたテープ３１０及び紙幣ＢＮが、円錐台状になることも起こり得る。
【００８０】
（巻き取り式の収納部において発生し得る不具合）
前述したように、巻き取り式の収納モジュール３１では、紙幣を、テープ３１０と共にドラム３１２に巻き付ける。収納モジュール３１の紙幣の収納量が多くなると、ドラム３１２に巻き付けられたテープ３１０及び紙幣によって、ドラム３１２の外径が大きくなる。ドラム３１２の外径が大きくなっている状態で、紙幣の収納を行うために、ドラム３１２を巻き取り方向に回転すると、図７に概念的に示すように、ドラム３１２に近い位置のテープ３１０はドラム３１２の回転に追従して巻き取り方向に巻かれる。これにより、ドラム３１２に近い位置のテープ３１０は締め付けが強くなる。一方、ドラム３１２から離れた位置のテープ３１０は、慣性によってドラム３１２の回転に追従しにくい。このため、内側のテープ３１０と外側のテープ３１０との間で滑りが生じる。
【００８１】
ドラム３１２が巻き取り方向に回転するときに、ドラム３１２の最外径部のテープ３１０には、前述したように、テープリール３１１のトルクリミッタ３１４により所定の張力Ｆが付与されている。そのため、ドラム３１２の最外径部におけるテープ３１０の締め付け状態は、安定している。
【００８２】
従って、収納モジュール３１の収納量が多い状態で、ドラム３１２が巻き取り方向に回転をすると、ドラム３１２の径方向の内外位置によって、テープ３１０の締め付け力に差が生じる。特に内側のテープ３１０と最外径部のテープ３１０との間の径方向の中間部のテープ３１０は、内側のテープが巻き取り方向に巻かれることに伴い、締め付けが弱くなる。テープ３１０の締め付けが弱くなると、テープ３１０と紙幣との間に隙間ができて、ドラム３１２に巻き付けられている紙幣が、ドラム３１２の回転軸方向にずれやすくなる。
【００８３】
また、巻き取り式の収納モジュール３１から紙幣を繰り出すときには、ドラム３１２を、巻き取り方向とは逆に回転させるが、紙幣の繰り出しが完了した後、ドラム３１２の位置調整を行うために、ドラム３１２を巻き取り方向に少し回転させる動作を行う。このため、紙幣の繰り出しを行うときにも、紙幣の収納時と同様に、ドラム３１２の内側のテープ３１０の締め付けが強くなり、中間部はテープ３１０の締め付けが弱くなり得る。
【００８４】
ここで、従来構成の紙幣入出金機は、複数の収納モジュールに同じ種類の紙幣を収納するとき（例えば同一金種の正券を、２つの収納モジュールのいずれにも収納可能にするとき）には、複数の収納モジュールについて、優先使用順位を設定していた。
【００８５】
この従来構成について、図８を参照しながら、詳細に説明をする。図８は、右側と左側との２つの収納モジュール３１Ｌ、３１Ｒを示している。図８に示す右側及び左側の収納モジュール３１Ｌ、３１Ｒは、紙幣入出金機において隣り合う収納モジュールを意味しているのではなく、同じ種類の紙幣を収納する２つの収納モジュールを意味している。左側の収納モジュール３１Ｌは、優先使用順位が相対的に高く、右側の収納モジュール３１Ｒは、優先使用順位が相対的に低いとする。
【００８６】
紙幣入出金機の初期状態Ｐ８１において、２つの収納モジュール３１Ｌ、３１Ｒは、共に空とする。この初期状態Ｐ８１において紙幣を収納するときには、優先使用順位の高い、左側の収納モジュール３１Ｌに紙幣が収納される。また、紙幣の繰り出しは、紙幣を収納している左側の収納モジュール３１Ｌから繰り出される（図８の矢印参照）。
【００８７】
左側の収納モジュール３１Ｌの収納量が多くなって、この左側の収納モジュール３１Ｌに紙幣を収納することができなくなったとき（正確には、左側の収納モジュール３１Ｌが
予め設定されているフル容量、または、フル容量に近いニアフル容量に到達したとき）には、図８のＰ８２に示すように、優先使用順位の低い、右側の収納モジュール３１Ｒに紙幣を収納することになる。予め設定されているフル容量というのは、収納モジュール３１Ｌに収納される収納量の最大値であり、紙幣枚数で規定する場合もあれば、紙幣を巻き取ったドラムの最大径で規定する場合もあり、また収納される紙幣の重量で規定してもよい。紙幣枚数で収納量の最大値を設定する場合は、収納される紙幣の新券、旧券の厚みの差による影響によりドラムの最大径は変わることになる。なお、フル容量というのは、以下で、満量と呼ぶ場合もある。
【００８８】
紙幣の繰り出しを行うときには、優先使用順位の高い左側の収納モジュール３１Ｌから紙幣が繰り出される。左側の収納モジュール３１Ｌから紙幣が繰り出される結果、左側の収納モジュール３１Ｌは再び、紙幣の収納が可能な状態になる。左側の収納モジュール３１Ｌが、紙幣の収納が可能な状態になれば、優先使用順位が高い左側の収納モジュール３１Ｌに、紙幣を収納することになると共に、左側の収納モジュール３１Ｌから紙幣を繰り出すことになる（Ｐ８３参照）。
【００８９】
図１０は、収納モジュールの収納量の変化を例示する図である。複数の収納モジュールについて優先使用順位を設定している従来構成では、図１０に破線で示すように、優先使用順位の高い収納モジュールは、満量に近い状態で紙幣の収納及び繰り出しを繰り返すようになる。
【００９０】
前述したように、収納モジュール３１の収納量が多い状態で、紙幣の収納、又は、紙幣の繰り出しを行うと、ドラム３１２における径方向の中間部において、テープ３１０の締め付けが弱くなる。従って、従来構成では、ドラム３１２における径方向の中間部は、テープ３１０の締め付けがますます弱くなってしまう。
【００９１】
特に、収納モジュール３１に収納する紙幣に、複合材料紙幣が含まれる場合、前述した複合材料紙幣の曲がりにくさに起因してテープ３１０と紙幣との間に隙間が生じていると、ドラム３１２における径方向の内側においては、テープ３１０の締め付け代が残っていることと等価になる。従って、ドラム３１２を巻き取り方向に回転したときに、内側のテープ３１０の巻き取り量が、より一層、多くなる一方で、ドラム３１２における径方向の中間部においては、テープ３１０の締め付けが、より一層、弱くなり、テープ３１０と紙幣との間の隙間がさらに大きくなって、ドラム３１２に巻き付けている紙幣のずれが起こりやすくなる、という不具合がある。
【００９２】
この紙幣入出金機１は、以下に説明する構成１〜構成４の、各種の構成を採用することによって、この不具合を解消するように構成されている。尚、紙幣入出金機１は、以下に説明する構成１〜構成４の全てを採用してもよいし、その内の一つ、又は、複数を、適宜選択して採用してもよい。
【００９３】
（構成１：収納モジュールが満量に近い状態で紙幣の収納及び繰り出しを繰り返すことを防止する構成）
前述したように、巻き取り式の収納モジュール３１が満量に近い状態で紙幣の収納及び繰り出しが繰り返されることが、紙幣のずれを招く。そこで、この紙幣入出金機１では、収納モジュール３１が満量に近い状態で紙幣の収納及び繰り出しを繰り返すこと自体を防止するように構成されている。
【００９４】
具体的に、この紙幣入出金機１では、収納モジュール３１の優先使用順位を設定していない。この紙幣入出金機１の制御部５１３は、収納モジュール３１の収納量が、予め設定した範囲内にあるときには、収納モジュール３１への紙幣の収納、及び、収納モジュール３１からの紙幣の繰り出しのいずれか一方を禁止しかつ、他方を許可する。より詳細には、制御部５１３は、予め設定した第１収納量に到達すると、予め設定した第２収納量に到達するまで、当該収納モジュール３１への紙幣の収納を禁止しかつ、紙幣の繰り出しのみを許可する。
【００９５】
ここで、第１収納量は、収納モジュール３１の最大容量（つまり、フル容量）、又は、最大容量付近の量（つまり、ニアフル容量）に基づいて設定される。第１収納量は、フル容量、又は、ニアフル容量としてもよい。
【００９６】
第２収納量は、第１収納量よりも少ない量で、適宜設定される。収納モジュール３１が満量に近い状態で紙幣の収納及び繰り出しを繰り返さないようにするには、第２収納量は、第１収納量に対して大きく離れていることが好ましい。第２収納量は、ゼロ（つまり、エンプティ）、又は、ゼロ付近の量（つまり、ニアエンプティ）としてもよい。
【００９７】
次に、図９を参照しながら、本構成における、複数の収納モジュール３１Ｌ、３１Ｒの収納量の変化例を説明する。
【００９８】
初期状態のＰ９１は、図８のＰ８１と同じである。初期状態Ｐ９１において紙幣を収納するときには、左側及び右側のいずれの収納モジュール３１Ｌ、３１Ｒにも紙幣を収納することが可能である。図例では、左側の収納モジュール３１Ｌに紙幣を収納している。紙幣の繰り出しを行うときは、紙幣を収納している左側の収納モジュール３１Ｌから、紙幣を繰り出す（図９の矢印参照）。
【００９９】
左側の収納モジュール３１Ｌの収納量が多くなって、この左側の収納モジュール３１Ｌ
が前記第１収納量に到達すると、制御部５１３は、前述したように、左側の収納モジュール３１Ｌへの紙幣の収納を禁止する。制御部５１３は、左側の収納モジュール３１Ｌからの紙幣の繰り出しは許可する。このときに制御部５１３は、右側の収納モジュール３１Ｒへの紙幣の収納を許可する（図９のＰ９２参照）。
【０１００】
左側の収納モジュール３１Ｌから紙幣が繰り出されることによって、左側の収納モジュール３１Ｌの収納量が、第１収納量を下回っても、収納量が第２所定量に到達するまで、制御部５１３は、紙幣の収納を禁止する。従って、左側の収納モジュール３１Ｌは、収納量が第２所定量に到達するまで、繰出専用の収納モジュールになる。この間、紙幣は、右側の収納モジュール３１Ｒに収納される。制御部５１３は、右側の収納モジュール３１Ｒからの紙幣の繰り出しを禁止して、右側の収納モジュール３１Ｒを収納専用の収納モジュールとする。
【０１０１】
左側の収納モジュール３１Ｌから紙幣が繰り出されることによって、左側の収納モジュール３１Ｌの収納量が第２収納量に到達すると、制御部５１３は、左側の収納モジュール３１Ｌを収納専用の収納モジュールにし、左側の収納モジュール３１Ｌに紙幣を収納することを許可する。一方、制御部５１３は、右側の収納モジュール３１Ｒを繰出専用の収納モジュールにし、右側の収納モジュール３１Ｒに紙幣を収納することを禁止する。つまり、左側の収納モジュール３１Ｌの収納量が第２収納量に到達すると、収納専用の収納モジュールと、繰出専用の収納モジュールとを入れ替える（図９のＰ９３参照）。
【０１０２】
図１０に実線で例示するように、左側の収納モジュール３１Ｌは、収納量が第１収納量に到達すると、出金専用の収納モジュールとなって、第２収納量に到達するまで紙幣の収納が禁止される。左側の収納モジュール３１Ｌは、満量に近い状態で紙幣の収納と繰り出しとを繰り返すことが防止される。
【０１０３】
また、右側の収納モジュール３１Ｒは、図１０に一点鎖線で例示するように、左側の収納モジュール３１Ｌが繰出専用の収納モジュールとなれば、収納専用の収納モジュールとなり、左側の収納モジュール３１Ｌが収納専用の収納モジュールとなれば、繰出専用の収納モジュールとなる。従って、右側の収納モジュール３１Ｒも、満量に近い状態で紙幣の収納と繰り出しとを繰り返すことが防止される。
【０１０４】
その結果、テープ３１０の締め付けが弱くなることに起因して、収納モジュール３１内で、ドラム３１２に巻き付けた紙幣がずれてしまうことが防止される。
【０１０５】
また、この構成では、複数の収納モジュール３１の一方を収納専用の収納モジュール３１に、他方を繰出専用の収納モジュール３１に設定するため、紙幣の収納と繰り出しとを常時、行うことが可能になる。また、優先使用順位を設定する従来構成とは異なり、複数の収納モジュール３１を均等に使用することが可能になる。
【０１０６】
尚、前記の説明では、繰出専用に設定した左側の収納モジュール３１Ｌの収納量が第２収納量に到達すると、左側の収納モジュール３１Ｌを収納専用の収納モジュールに、右側の収納モジュール３１Ｒを繰出専用の収納モジュールに設定している。これとは異なり、収納専用に設定した右側の収納モジュール３１Ｒの収納量が、左側の収納モジュール３１Ｌの収納量が第２収納量に到達する前に、第１収納量に到達したときには、そのタイミングで、右側の収納モジュール３１Ｒを繰出専用の収納モジュールに、左側の収納モジュール３１Ｌを収納専用の収納モジュールに設定してもよい。
【０１０７】
また、左側の収納モジュール３１Ｌは、第１収納量及び第２収納量の間で、紙幣の収納及び繰り出しの一方を禁止するのに対し、右側の収納モジュール３１Ｒは、第３収納量及び第４収納量の間で、紙幣の収納及び繰り出しの一方を禁止するようにしてもよい。
【０１０８】
また、前記の構成では、収納量が第１収納量と第２収納量との間にあるときに、一方の収納モジュール３１を収納専用にし、他方の収納モジュール３１を繰出専用にしている。これとは異なり、複数の収納モジュール３１のそれぞれを、紙幣の収納及び繰り出しのいずれも許可するように構成し、いずれか一方の収納モジュール３１の収納量が、第１収納量に到達すると、当該収納モジュール３１については、第２収納量に至るまで紙幣の収納を禁止しかつ、紙幣の繰り出しを許可する一方で、他方の収納モジュールは、紙幣の収納及び繰り出しのいずれも許可するようにしてもよい。
【０１０９】
すなわち、前述したように、紙幣のずれという不具合は、収納モジュール３１が満量に近い状態で紙幣の収納及び繰り出しを繰り返すことによって起こり、収納モジュール３１の収納量が少ない状態で、紙幣の収納及び繰り出しを繰り返したとしても、紙幣のずれは起こりにくい。従って、一方の収納モジュール３１を収納専用にし、他方の収納モジュール３１を繰出専用に設定せずに、収納モジュール３１の収納量が比較的少ない状態では、複数の収納モジュール３１について、紙幣の収納と繰り出しとを許可するようにしてもよい。
【０１１０】
この場合、紙幣の収納を行うときには、複数の収納モジュール３１の内、収納量の少ない収納モジュール３１に紙幣を収納し、紙幣の繰り出しを行うときには、複数の収納モジュール３１の内、収納量の多い収納モジュール３１から紙幣を繰り出すようにしてもよい。こうすることで、複数の収納モジュール３１に対して、できるだけ均等に紙幣を収納することが可能になる。
【０１１１】
そして、複数の収納モジュール３１のそれぞれついて、紙幣の収納及び繰り出しを許可する構成において、いずれかの収納モジュール３１の収納量が、第１収納量に到達したときには、当該収納モジュール３１は、第２収納量に至るまで、紙幣の収納を禁止しかつ、紙幣の繰り出しを許可するようにすれば、収納モジュール３１が満量に近い状態で紙幣の収納及び繰り出しを繰り返すことを防止することができる。
【０１１２】
（構成２：ドラムの起動電流を調整する構成）
前述したように、巻き取り式の収納モジュール３１では、ドラム３１２が回転駆動源に接続されている。回転駆動源の駆動力によってドラム３１２が、巻き取り方向に回転することにより、テープ３１０と共に紙幣がドラム３１２に巻き取られる。ドラム３１２の径が大きくなっている状態において（つまり、収納モジュール３１の収納量が多い状態において）、紙幣及びテープ３１０の巻き取り開始時に、ドラム３１２が勢いよく回り始めると、ドラム３１２に近い径方向の内側のテープ３１０の締め付けが強くなってしまう。これに対し、巻き取り開始時に、ドラム３１２の回転始動を緩やかにすれば、径方向の内側のテープ３１０の締め付けを抑制することが可能になる。その結果、ドラム３１２における径方向の中間部のテープ３１０の締め付けが弱くなることが防止され、紙幣のずれを防止することが可能になる。
【０１１３】
そこで、制御部５１３は、収納モジュール３１の収納量に応じて、ドラム３１２の回転開始時の起動電流を変更する。具体的に、収納モジュール３１の収納量が所定量よりも少ないとき（つまり、ドラム３１２の径が比較的小さいとき）には、起動電流を第１電流値に設定する。第１電流値は相対的に高い電流値であり、ドラム３１２は勢いよく回り始めるが、ドラム３１２の径が小さく、ドラム３１２に巻き付けられたテープ３１０はドラム３１２の回転に追従するから、径方向の内側のテープ３１０の締め付けが強くなることは回避される。よって、ドラム３１２の径方向の中間部において、テープ３１０の締め付けが弱くなることも防止される。
【０１１４】
制御部５１３は、収納モジュール３１の収納量が前記所定量以上のとき（つまり、ドラム３１２の径が比較的大きいとき）には、起動電流を第２電流値に設定する。第２電流値は、第１電流値よりも低い電流値である。これにより、ドラム３１２は緩やかに回転を開始する。その結果、ドラム３１２の径が比較的大きいときにも、ドラム３１２の径方向の内側のテープ３１０の締め付けが強くなることが防止され、径方向の中間部においてテープ３１０の締め付けが弱くなることが防止される。
【０１１５】
尚、制御部５１３は、収納モジュール３１の収納量が所定量以上のときには、収納量が増えるほど、起動電流を第２電流値から低下させるようにしてもよい。例えば収納量（収納枚数）が１０枚増える毎に、起動電流を０．１Ａだけ低下させる、としてもよい。こうすることで、ドラム３１２の径の大きさに応じて、起動電流を最適化させることが可能になり、ドラム３１２の径方向の内側においてテープ３１０の締め付けが強まることを、より確実に防止することが可能になる。
【０１１６】
（構成３：収納モジュールの動作モードを切り替える構成）
ドラム３１２を巻き取り方向に回転させたときに、ドラム３１２における径方向の内側のテープ３１０の締め付けが強くなることは、ドラム３１２に巻き付けられているテープ３１０の締め付けが、もともと弱いことも原因の一つである。
【０１１７】
前述したように、ドラム３１２の表面に沿って曲がり難い複合材料紙幣であっても、紙幣をドラム３１２に巻き付けるときに、テープ３１０の張力が十分に高いと、複合材料紙幣をドラム３１２の表面に沿うように十分に曲げて、紙幣をドラム３１２に巻き付けることが可能になる。その結果、テープ３１０と紙幣との隙間もなく、ドラム３１２に巻き付けられているテープ３１０の締め付けが十分に高くなっているから、ドラム３１２を巻き取り方向に回転させたときに、径方向の内側のテープ３１０の締め付けが相対的に強くなってしまうことが防止される。
【０１１８】
前述したように、紙幣をドラム３１２に巻き付けるときには、テープリール３１１が、ドラム３１２の回転に追従して回転をするため、テープ３１０の張力Ｆは、図３に示すように、テープリール３１１に取り付けられているトルクリミッタ３１４のリミットトルクＴと、テープリール３１１の径Ｒとから、Ｆ＝Ｔ／Ｒにより決定される。テープリール３１１の径が大きいと（つまり、ドラム３１２に対してテープ３１０を巻き始めるときには）、テープ３１０の張力Ｆが相対的に小さくなるから、ドラム３１２における径方向の内側のテープ３１０の締め付けも弱くなる。
【０１１９】
テープ３１０の張力Ｆを高くしようとすれば、トルクリミッタ３１４のリミットトルクＴを大きくすることが考えられる。しかしながら、リミットトルクＴが大きいトルクリミッタ３１４は、概して高価である。複数の収納モジュール３１を備えた紙幣入出金機１において、全ての収納モジュール３１について高価なトルクリミッタ３１４を採用すると、コストが大幅に増大してしまう。
【０１２０】
紙幣のずれは特に、複合材料紙幣を収納する収納モジュール３１において顕著であるため、複合材料紙幣を収納する一部の収納モジュール３１についてのみ、高価なトルクリミッタ３１４を採用することも考えられる。しかしながら、そうした対応を採用すると、一つの紙幣入出金機１に、２種類の収納モジュール３１が含まれることになる。これは、製造管理や保守管理の点で好ましくない。また、複合材料紙幣を収納可能な収納モジュール３１が、特定の収納モジュール３１に限定されてしまうため、紙幣入出金機１の使い勝手の点でも好ましくない。
【０１２１】
また、トルクリミッタ３１４のリミットトルクＴを大きくしたとしても、今後、さらに曲がり難い構造の新たな紙幣が登場すると、さらに大きいリミットトルクＴが要求されることも想定される。
【０１２２】
ここに開示する構成は、トルクリミッタ３１４のリミットトルクＴを大きくせずに、テープ３１０の張力を高める。前述の通り、テープ３１０の張力Ｆは、Ｆ＝Ｔ／Ｒにより決定され、テープリール３１１の径Ｒが小さくなれば、テープ３１０の張力Ｆは大きくなる。そこで、予めテープ３１０のみをドラム３１２に巻き付け、それによってテープリール３１１の径を、図３に一点鎖線で示す初期状態よりも、小さくしておけば、テープ３１０の張力Ｆを高くした状態で、紙幣をドラム３１２に巻き付け始めることが可能になる。
【０１２３】
一方で、予めテープ３１０のみをドラム３１２に巻き付けると、収納モジュール３１の最大容量は、その分、低下してしまう。
【０１２４】
そこで、この紙幣入出金機１は、収納モジュール３１の動作モードとして、２つのモードを設定し、収納モジュール３１毎に、２つの動作モードの切り替えを行う。
【０１２５】
２つの動作モードの内の一つは、前述したように、テープ３１０の張力を高める第１モードである。第１モードは、テープ３１０のみを予めドラム３１２に巻き付ける。第１モードでは、収納モジュール３１の最大容量は低下する。
【０１２６】
一方の第２モードは、ドラム３１２にテープ３１０のみを巻き付けることを行わないモードである。第２モードでは、テープ３１０の張力は高くならない一方で、最大容量は相対的に大きくなる。
【０１２７】
図１１に示すように、透光性の材料によって構成されるテープ３１０には、第１モードと第２モードとを切り替えるための遮光シール３１１１、３１１２が取り付けられている。テープ３１０に取り付けられた遮光シール３１１１、３１１２は、テープリール３１１から引き出したテープ３１０の位置を検知するためのものであり、テープリール３１１からドラム３１２までの間のテープ３１０の引き出し経路上に配置された、透光式のテープ検知センサ（図示省略）によって検知される。遮光シールは、第１モード時のテープ位置を検知するための第１遮光シール３１１１と、第２モード時のテープ位置を検知するための第２遮光シール３１１２とを含む。第１遮光シール３１１１は、第２遮光シール３１１２よりも、テープリール３１１側の位置に取り付けられている。
【０１２８】
収納モジュール３１を第２モードで動作させるときには、制御部５１３は、テープの長手方向に並んだ２つの第２遮光シール３１１２を検知するまで、テープ３１０を引き出す。これにより、テープリール３１１から引き出したテープ３１０の量が相対的に少なくなり、テープリール３１１の径Ｒは、その分大きくなる。
【０１２９】
一方、収納モジュール３１を第１モードで動作させるときには、制御部５１３は、第２遮光シール３１１２を検知してさらに、第１遮光シール３１１１を検知するまで、テープ３１０を引き出す。これにより、テープリール３１１から引き出したテープ３１０の量が相対的に多くなり、テープリール３１１の径Ｒは、その分小さくなる。
【０１３０】
紙幣入出金機１は、オペレータが操作部５５を操作することにより、第１〜第８の収納モジュール３１のそれぞれについて、第１モードで動作させるか、第２モードで動作させるかを設定することが可能に構成される。例えば複合材料紙幣を収納する収納モジュール３１は、第１モードで動作させ、複合材料紙幣を収納しない収納モジュール３１は、第２モードで動作させるようにしてもよい。こうすることで、紙幣のずれが生じ易い、複合材料紙幣を収納する収納モジュール３１では、紙幣をドラム３１２に巻き付けるときのテープ３１０の張力Ｆが高まるため、確実にかつ安定的に紙幣をドラム３１２に巻き付けることが可能になる。その結果、ドラム３１２を巻き取り方向に回転させたときに、径方向の内側のテープ３１０の締め付けが強まりかつ、中間部のテープ３１０の締め付けが相対的に弱まって、紙幣のずれが生じることを防止することが可能になる。一方、複合材料紙幣を収納しない収納モジュール３１においては、もともと紙幣のずれが生じにくいため、テープ３１０の張力を強める必要性に乏しい。そこで、当該収納モジュール３１は第２モードで動作させることにより、紙幣を安定的に収納しながら、収納モジュール３１の最大容量が減ってしまうことを回避することができる。
【０１３１】
尚、紙幣入出金機１は、前述の通り、オペレータが第１〜第８の収納モジュール３１のそれぞれについて、第１モードで動作させるか、第２モードで動作させるかを設定するように構成してもよいし、第１〜第８の収納モジュール３１に収納する紙幣を決定すれば自動的に、複合材料紙幣を収納する収納モジュール３１は第１モードで動作させ、複合材料紙幣を収納しない収納モジュール３１は第２モードで動作させるようにしてもよい。
【０１３２】
また、テープ３１０の張力を高めることは、テープ３１０が切れることを防止する上でも有利になる。つまり、テープリール３１１から引き出されたテープ３１０は、図３に示すようにテープ規制ガイド３１３を通ってドラム３１２へと至るが、テープ３１０の張力が高いと、テープ３１０の途中のばたつきが抑制される。テープ３１０がばたついたときに、テープ３１０がテープ規制ガイド３１３に干渉して、テープ３１０が切れてしまう恐れがあるが、テープ３１０の張力を高めてテープ３１０のばたつきを抑制することによって、テープ３１０が切れてしまうことを防止することができる。また、テープ３１０の張力Ｆを高めることは、ドラム３１２を巻き取り方向に回転させることに伴うテープ３１０の締め付けが強くなり過ぎることを防止でき、このことによるテープ３１０の破損防止にも有効である。
【０１３３】
（構成４：収納モジュールへの複合材料紙幣の収納を規制する制御構成）
前述したように、収納モジュール３１内の紙幣のずれは、ドラム３１２の外径が大きい状態で、ドラム３１２が巻き取り方向に回転することに起因し、複合材料紙幣が数多くドラム３１２に巻き付けられていると、径方向の中間部においてテープ３１０の締め付けが弱くなることが起こり得る。そこで、収納モジュール３１に収納している複合材料紙幣の枚数が多くなると、当該収納モジュール３１の最大容量を少なくすることによって、ドラム３１２の外径が大きくなることを防止することが考えられる。
【０１３４】
しかしながらこの構成は、収納モジュール３１の収納量が少なくなるため、紙幣入出金機１の性能（仕様）が低下することになり、好ましい対策ではない。収納モジュール３１に収納することのできない紙幣は、リジェクト紙幣として出金口２３１に払い出されるため、収納モジュール３１の最大容量が少なくなると、リジェクト紙幣が増えてしまう。これは、紙幣入出金機１の使い勝手を悪くする。
【０１３５】
ここで、図５に示すように、収納モジュール３１に収納される複合材料紙幣の表裏及び向きによって、ドラム３１２の表面に対する曲がりにくさが変化する。このことも、テープ３１０の締め付けが弱くなって紙幣のずれが生じる原因であるが、本願発明者らが検討をしたところ、紙幣のずれの発生には、単に複合材料紙幣の収納枚数や、複合材料紙幣の表裏及び向きだけではなく、その他の様々な要因が組み合わさっていることが判明した。
【０１３６】
ここに開示する構成４は、様々な要因の組み合わせを考慮しながら、真に紙幣のずれを招く可能性の高い複合材料紙幣のみを、収納モジュール３１に収納せず、その他の紙幣は、収納モジュール３１に収納することで、収納モジュール３１の収納量が少なくなることを防止する。以下、紙幣のずれを招く各種の要因について順に説明をし、その後、紙幣入出金機１において行う、収納モジュール３１への複合材料紙幣の収納を規制する制御について説明をする。
【０１３７】
〈紙幣が巻かれたドラムにおける、複合材料紙幣の径方向位置〉
図６に示すように、複合材料紙幣がドラム３１２に巻き付けられたときに、ドラム３１２に巻き付けたテープ３１０及び紙幣が円錐台状になる場合がある。ここで、ドラム３１２に巻き付けられた複合材料紙幣の枚数が同じでかつ、同じようにドラム３１２に巻き付けたテープ３１０及び紙幣が円錐台状になっていても、紙幣のずれが生じ易い場合と、生じにくい場合はあることに、本願発明者は気づいた。
【０１３８】
すなわち、図１２の左図は、複合材料紙幣が、ドラム３１２の径方向の内側に多く巻き付けられており、径方向の外側には、複合材料紙幣ではない通常紙幣が巻き付けられている場合を例示している。この状態では、ドラム３１２に巻き付けられた紙幣が、全体的に傾くようになるため、テープ３１０の締め付けが弱くなると、紙幣のずれが生じ易い。これに対し、図１２の右図は、ドラム３１２の径方向の内側には複合材料紙幣ではない通常紙幣が多く巻き付けられていて、ドラム３１２の径方向の外側には複合材料紙幣が多く巻き付けられている場合を示している。この状態では、ドラム３１２の外周面が傾いて、ドラム３１２に巻き付けられたテープ３１０及び紙幣は円錐台状となるものの、径方向の中間部においては、紙幣が傾いていない。そのため、ドラム３１２の中間部でテープ３１０の締め付けが弱くなっても、紙幣のずれは生じにくい。このように、ドラム３１２に巻き付けられている複合材料紙幣の枚数の多い少ないだけでなく、ドラム３１２に巻き付けられた複合材料紙幣の径方向の位置が、紙幣のずれの発生に影響を与える。
【０１３９】
従って、収納モジュール３１に収納した複合材料紙幣の枚数のみに基づいて、収納モジュール３１の最大容量を制限するよりも、複合材料紙幣が径方向の内側に位置するようなときに、当該複合材料紙幣を収納モジュール３１に収納しないようにすれば、紙幣のずれの発生を抑制しながら、収納モジュール３１の最大容量を大にすることが可能になる。
【０１４０】
〈複合材料紙幣の凹凸とテープとの相対位置〉
図５に示すように、複合材料紙幣の表裏及び向きによって、ドラム３１２の表面に対する曲がりにくさが変化をする。複合材料紙幣がＡ方向及びＢ方向であるときには、ドラム３１２の表面に沿って曲がりにくいため、概して、ドラム３１２に巻き付けたときに複合材料紙幣とテープ３１０との間に隙間が生じ易い。しかしながら、複合材料紙幣の凹凸とテープ３１０との相対位置によっては、複合材料紙幣をドラム３１２の表面に沿うように十分に曲げることが可能になり、複合材料紙幣とテープ３１０との間に隙間が生じにくくなる点に、本願発明者は気づいた。つまり、複合材料紙幣の凹凸とテープ３１０との距離が近いときには、凹凸が曲がりにくいとはいえ、テープ３１０の張力によって紙幣を押さえつけることが可能になり、複合材料紙幣とテープ３１０との間に隙間が生じにくくなる。
【０１４１】
図１３は、複合材料紙幣の凹凸とテープ３１０との相対位置を例示している。紙幣入出金機１においては、通貨や金種によるサイズの違いを許容するために、搬送方向に対し直交する方向に、紙幣の位置のずれ（つまり、中寄せ、左寄せ、及び右寄せ）を許容するよう構成される。
【０１４２】
複合材料紙幣が、同じＡ方向で搬送されていても、中寄せや左寄せであれば、複合材料紙幣の凹凸とテープ３１０との距離が近いため、テープ３１０によって凹凸が曲げられる結果、複合材料紙幣とテープ３１０との間に隙間が生じにくい。従って、当該複合材料紙幣を、収納モジュール３１に収納しても、紙幣のずれは生じにくい。一方、Ａ方向で搬送されている複合材料紙幣が、右寄せであるときには、複合材料紙幣の凹凸とテープ３１０との距離が遠いため、複合材料紙幣は曲がり難くなって、複合材料紙幣とテープ３１０との間に隙間が生じ易い。従って、当該複合材料紙幣を、収納モジュール３１に収納をすると、紙幣のずれの要因になり得る。同様に、Ｂ方向で搬送されている複合材料紙幣が、左寄せであるときにも、複合材料紙幣の凹凸とテープ３１０との距離が遠くなるため、複合材料紙幣は曲がり難くなって、複合材料紙幣とテープ３１０との間に隙間が生じ易い。この場合も、収納モジュール３１に収納をすると、紙幣のずれの要因になり得る。
【０１４３】
ここで、単に複合材料紙幣がＡ方向である、又は、Ｂ方向であるときに、当該紙幣を、収納モジュール３１に収納することを禁止したのでは、多数の紙幣が収納モジュール３１に収納されなくなる。リジェクト紙幣が増えてしまって、紙幣入出金機１の使い勝手が悪くなる。前述の通り、複合材料紙幣がＡ方向でかつ、右寄せのときに、また、複合材料紙幣がＢ方向でかつ、左寄せのときに限って、収納モジュール３１への紙幣の収納を禁止するようにすれば、リジェクト紙幣が増えることを防止しながら、しかも、図６に示すように、ドラム３１２に巻き付けられたテープ３１０及び紙幣が円錐台状になることを未然に回避することができる。その結果、紙幣のずれを効果的に防止することが可能になると共に、紙幣入出金機１の使い勝手の悪化を回避することができる。
【０１４４】
〈各種の要因の組み合わせに基づく収納制御〉
紙幣入出金機１の制御部５１３は、前述した各種の要因の組み合わせに基づいて、複合材料紙幣の収納モジュール３１への収納可否を決定する。こうすることで、収納モジュール３１に、できるだけ多くの複合材料紙幣を収納しつつも、ドラム３１２に巻き付けられた紙幣がずれてしまうことを防止することが可能になる。具体的に、制御部５１３は、図１４に示す組み合わせに基づいて、複合材料紙幣の収納可否を決定する。収納モジュール３１の収納枚数が、所定枚数以下（例えば１００枚）でかつ、Ａ方向の複合材料紙幣が、右寄せのとき、及び、収納モジュール３１の収納枚数が、所定枚数以下でかつ、Ｂ方向の複合材料紙幣が、左寄せのときに、当該複合材料紙幣は収納モジュール３１に収納しない。当該複合材料紙幣は、リジェクト紙幣として、出金口２１３に払い出される。
【０１４５】
収納モジュール３１の収納量が少ないときには、ドラム３１２に巻き付けられたときに、複合材料紙幣はドラム３１２における径方向の内側に位置するようになる（図１２の左図参照）。また、Ａ方向の複合材料紙幣が、右寄せのとき、又は、Ｂ方向の複合材料紙幣が、左寄せのときには、複合材料紙幣の凹凸が曲がりにくく、テープ３１０と紙幣との間に隙間が生じ易い（図１３参照）。そこで、これら複数の要因が組み合わさったときにのみ、複合材料紙幣の収納を禁止する。
【０１４６】
こうすることで、リジェクト紙幣として出金口２１３に払い出される紙幣を少なくしながら、収納モジュール３１内で、ドラム３１２に巻き付けられたテープ３１０及び紙幣が円錐台状になることが防止されかつ、紙幣のずれが発生することを防止することが可能になる。
【０１４７】
尚、前記の要因によりリジェクト紙幣として払い出された複合材料紙幣は、入金口２１１に、再投入するときに、その向きや方向、及び、位置を調整することにより、収納モジュール３１に収納することが可能になる。
【０１４８】
（スタック式の収納部を備えた紙幣入出金機）
ここに開示する技術は、巻き取り式の収納部を備えた紙幣入出金機１に適用することに限定されない。スタック式の収納部を備えた紙幣入出金機にも適用が可能である。
【０１４９】
図１５は、スタック式の収納部を備えた紙幣入出金機１０を例示している。この紙幣入出金機１０は、複数の（図例では第１〜第４の）スタック式の収納カセット３３−１〜３３−４を有している．スタック式の収納カセット３３は、内部に、上下方向に移動可能なステージ３３１を有している。ステージ３３１の上に、紙幣が上下方向に積み重なる。これらのスタック式の収納カセット３３は、収納している紙幣を繰り出すことが可能に構成されている。スタック式の収納カセット３３の構成は、公知であるため、その詳細な構成の説明は省略する。
【０１５０】
このスタック式の収納カセット３３においても、満量に近い状態で紙幣の収納と繰り出しとを繰り返すことは好ましくない。つまり、繰り出し時には、積み重なった紙幣を集積方向に押圧して、最上位の一枚を繰り出すことになるが、満量に近い状態では、紙幣が高く積み上がっているため、押圧が不安定になるためである。また、紙幣の繰り出しも安定的に行うことができない。特に複合材料紙幣が積み重なっていると、紙幣の厚みが一定でないため、ステージ３３１上で積み重なった紙幣が傾く場合があり、前述した不安定さが増してしまう。また、スタック式の収納カセット３３が満量に近い状態では、紙幣の収納も不安定になり得る。
【０１５１】
そこで、スタック式の収納カセット３３を備えた紙幣入出金機１０においても、前記構成１を採用する。つまり、収納カセット３３の収納量が満量に近い状態で紙幣の収納と繰り出しとを繰り返さないように、制御部５１３は、収納カセット（例えば第１の収納カセット３３−１）の収納量が、予め設定した第１収納量に到達すれば、予め設定した第２収納量に到達するまで、当該第１の収納カセット３３−１に紙幣を収納することを禁止する。第１の収納モジュール３３−１から紙幣を繰り出すことは許可する。当該第１の収納カセット３３−１は、繰出専用の収納カセットに設定される。
【０１５２】
このときに、制御部５１３は、第１の収納カセット３３−１と同一の紙幣を収納する第２の収納カセット３３−２を、収納専用の収納カセットに設定する。つまり、第２の収納カセット３３−２は、紙幣の収納が許可される一方、紙幣の繰り出しが禁止される。
【０１５３】
第１の収納カセット３３−１から紙幣が繰り出されることによって、その収納量が第２収納量に到達すると、制御部５１３は、第１の収納カセット３３−１を、繰出専用の収納カセットから、収納専用の収納カセットに切り替える。制御部５１３はまた、第２の収納カセット３３−２を、収納専用の収納カセットから、繰出専用の収納カセットに切り替える。第１の収納カセット３３−１は、紙幣の収納が許可され、紙幣の繰り出しが禁止される。第２の収納カセット３３−２は、紙幣の繰り出しが許可され、紙幣の収納が禁止される。こうして、スタック式の収納カセット３３を備えた紙幣入出金機１０においても、収納カセット３３が満量に近い状態で紙幣の収納と繰り出しとを繰り返すことが防止される。
【０１５４】
尚、前述したように、繰出専用に設定した第１の収納カセット３３−１が第２収納量に到達する前に、収納専用に設定した第２の収納カセット３３−２が、第１収納量に到達したときには、そのタイミングで、第１の収納カセット３３−１を収納専用の収納カセットに、第２の収納カセット３３−１を繰出専用の収納カセットに切り替えてもよい。
【０１５５】
また、複数の収納カセット３３のそれぞれを、紙幣の収納及び繰り出しのいずれも許可するように構成し、いずれか一方の収納カセット３３が、第１収納量に到達すると、当該収納カセット３３については、第２収納量に到達するまで紙幣の収納を禁止しかつ、紙幣の繰り出しを許可する一方で、他方の収納カセット３３は、紙幣の収納及び繰り出しのいずれも許可するようにしてもよい。
【０１５６】
スタック式の収納カセット３３を備えた紙幣入出金機１０はまた、前記構成４を採用してもよい。スタック式の収納カセット３３においては、複合材料紙幣が、積み重なった紙幣の下側に多く含まれていると、積層した紙幣の傾きが大きくなり、不安定となりやすい。また、積層した紙幣において、複合材料の凹凸が同じ位置で積み重なると、積層した紙幣の傾きがさらに大きくなる。そこで、スタック式の収納カセット３３を備えた紙幣入出金機１０においても、制御部５１３は、収納カセット３３の収納枚数、複合材料紙幣の表裏及び向き、並びに、その位置に応じて、複合材料紙幣を、収納カセット３３に収納しない、としてもよい。
【０１５７】
尚、ここでは、紙幣を上下方向に積み重ねて収納する収納カセット３３を示しているが、紙幣を水平方向に並べて収納する収納カセットとしてもよい。
【０１５８】
ここに開示する技術は、前述した紙幣入出金機に適用されることが限らない。紙幣を収納する、巻き取り式の収納部、及び／又は、スタック式の収納部を備え、紙幣の収納と繰り出しとを行う紙幣処理装置に、広く適用することが可能である。
【０１５９】
また、収納部に収納及び繰り出しをする対象は紙幣に限らず、商品券や、小切手や商品券等の有価証券を含む紙葉類全般であり、ここに開示する技術は、紙葉類処理装置に適用可能である。  
【符号の説明】
【０１６０】
１、１０  紙幣入出金機（紙葉類処理装置）
３１  収納モジュール（収納部）
３３  収納カセット（収納部）
５１３  制御部
【図１】
0006674271.tif 000002
【図２】
0006674271.tif 000003
【図３】
0006674271.tif 000004
【図４】
0006674271.tif 000005
【図５】
0006674271.tif 000006
【図６】
0006674271.tif 000007
【図７】
0006674271.tif 000008
【図８】
0006674271.tif 000009
【図９】
0006674271.tif 000010
【図１０】
0006674271.tif 000011
【図１１】
0006674271.tif 000012
【図１２】
0006674271.tif 000013
【図１３】
0006674271.tif 000014
【図１４】
0006674271.tif 000015
【図１５】
0006674271.tif 000016